(57)【特許請求の範囲】
【請求項１】
ターンテーブルおよびトーンアームを取り付ける支持台を傾けたレコードプレーヤに用いるトーンアームであって、
ターンテーブルに対して垂直な垂直支軸回りに回動可能なピボットリングと；
前記ピボットリングに保持され前記垂直支軸に直交交叉する水平支軸に直交し前記ターンテーブルに対してほぼ平行にのびる直線状のアーム部材と；
このアーム部材の前記水平支軸を挟んで、前記アーム部材の先端に取り付けたカートリッジと反対側に取付けられ、前記アーム部材の水平支軸回りの重量バランスをとる第１のウェイトと；
前記アーム部材および水平支軸よりも下方に偏位し、一端が前記カートリッジと前記水平支軸との間でアーム部材に連結され、他端が前記ピボットリングに連結された針圧付与用の弾性材と；
を備えることを特徴とするトーンアーム。
【請求項２】
針圧付与用の弾性材はアーム部材および垂直支軸を含む垂直面の一側に偏位してアーム部材と平行に配設され、前記アーム部材には前記垂直面の他側に偏位して配設され前記垂直面を挟んで前記針圧付与用の弾性材との重量バランスをとる第２のウェイトを備える請求項１のトーンアーム。
【請求項３】
第２のウェイトはアーム部材を中心として回動自在であり、垂直面を挟んで前記弾性材との重量バランスをとる第１の位置と、アーム部材を挟んで弾性材との重量バランスをとる第２の位置とに位置決め可能である請求項２のトーンアーム。
【請求項４】
弾性材はコイルばねであり、その張力を調整可能とする針圧調整機構を有する請求項１〜３のいずれかのトーンアーム。
【請求項５】
請求項１〜４のいずれかのトーンアームを用いるレコードプレーヤであって、ターンテーブルおよびトーンアームを取り付ける支持台の傾斜角度を可変としたことを特徴とするレコードプレーヤ。
【請求項６】
ターンテーブルおよびトーンアームを取付けた２台の支持台を共通の揺動軸に軸方向にずらして設け、両支持台の間にコントローラを設けた請求項５のレコードプレーヤ。
【請求項７】
コントローラは揺動軸回りに傾斜角度を可変とした請求項６のレコードプレーヤ。
【発明の詳細な説明】
【０００１】
【産業上の利用分野】
この発明は、ディスクジョッキ（以下単にＤＪと略す）に用いるレコードプレーヤに好適なトーンアームと、このトーンアームを用いたレコードプレーヤに関するものである。
【０００２】
【従来の技術】
ＤＪに用いるレコードプレーヤでは、いわゆるスクラッチパフォーマンス操作が広く用いられている。この操作はオペレータの指操作によりレコード盤を直接正回転および逆回転させて音を出力させるものである。
【０００３】
このように直接指先で人為的にレコードを正逆回転させることにより、人工的に新たな音情報を創出させることが可能になる。この場合には、レコードプレーヤの音情報は付属する他の各種の音発生源（楽器など）からの音情報と混合させることができ、新規な音源の創出手段としてあたかも単一の演奏楽器のように取扱うことが可能になる。
【０００４】
このようにレコードを正逆転させた場合にレコード針の針飛びを防ぐために、トーンアームを直線状にしたものが公知である。ここに従来はレコードプレーヤを水平に設置している。すなわちターンテーブルを水平にしてトーンアームをその重量により針圧を付与している。この針圧はバランスウェイトの重さや位置を調整することによって制御している。
【０００５】
【発明が解決しようとする課題】
前記のＤＪにおけるスクラッチパフォーマンス操作ではオペレータが指先でレコードを正逆転させたり、レコードを頻繁に載せ変えたりするので、プレーヤが水平位置に固定されていると操作しにくい場合がある。
【０００６】
この場合にレコードプレーヤを傾けることが考えられるが、このようにすると針圧が変化して針飛びが発生し易くなるという問題が生じる。また一般にレコードプレーヤの高さが決まっているのに対し、オペレータによって背丈が変化するから、オペレータによっては水平なターンテーブルでは操作しにくいことがある。
【０００７】
またオペレータは通常自分自身も曲に合わせて身振りを入れるが、ターンテーブルが水平であると身振りを行いにくくなったり、演奏に制約が生じるという問題もあった。
【０００８】
この発明はこのような事情に鑑みなされたものであり、レコードプレーヤを傾けて使用する場合、例えばＤＪでレコードプレーヤを傾けてスクラッチ操作をする際に針飛びが発生しにくくしたトーンアームを提供することを第１の目的とする。またＤＪにおけるスクラッチ操作時に、オペレータの操作をし易くし、またオペレータの背丈などが変化したり、身振りを加えながら操作する場合にレコードプレーヤの傾きを調整して操作し易くしたレコードプレーヤを提供することを第２の目的とする。
【０００９】
【課題を解決するための手段】
本発明によればこの課題は、ターンテーブルおよびトーンアームを取り付ける支持台を傾けたレコードプレーヤに用いるトーンアームであって、ターンテーブルに対して垂直な垂直支軸回りに回動可能なピボットリングと；
前記ピボットリングに保持され前記垂直支軸に直交交叉する水平支軸に直交し前記ターンテーブルに対してほぼ平行にのびる直線状のアーム部材と；
このアーム部材の前記水平支軸を挟んで、前記アーム部材の先端に取り付けたカートリッジと反対側に取付けられ、前記アーム部材の水平支軸回りの重量バランスをとる第１のウェイトと；
前記アーム部材および水平支軸よりも下方に偏位し、一端が前記カートリッジと前記水平支軸との間でアーム部材に連結され、他端が前記ピボットリングに連結された針圧付与用の弾性材と；
を備えることを特徴とするトーンアーム、により達成される。
【００１０】
この場合に弾性材の重さによる悪影響を防ぐために、第２のウェイトをトーンアームに付加するのがよい。この場合第２のウェイトは、アーム部材および垂直支軸を含む垂直面の一側に弾性材を設け、この垂直面を挟んで弾性材との重量バランスをとるように配設する。
【００１１】
この第２のウェイトは、前記の位置（第１の位置）と、アーム部材を挟んで弾性材との重量バランスをとる第２の位置とに位置決め可能にするのがよい。第２のウェイトを第１の位置に置いた時には、レコードプレーヤを水平に置いた場合に、トーン部材に働く左右方向の力を打ち消すことができる。
【００１２】
また第２の位置に置いた時には、アーム軸の長さ方向から見た時にアーム部材を中心とする周方向の重さがバランスする。このためプレーヤの傾きを変化させた場合にアーム部材に作用する力が変化せず、針飛びが防止され針圧が一定に保たれる。なお第２のウェイトは第１の位置と第２の位置の間で任意の位置に固定可能とすれば、ターンテーブルの傾きや演奏条件の変化に対応して好適な演奏状態に設定することが可能になる。
【００１３】
弾性材は張力を調整可能にすれば、演奏条件などに対応して針圧を容易に調整することができる。この場合コイルばねを用いるのがよい。コイルばねは使用環境の影響を受けにくく性能が安定しているからである。
【００１４】
本発明によれば第２の目的は、請求項１〜４のいずれかのトーンアームを用いるレコードプレーヤであって、ターンテーブルおよびトーンアームを取付ける支持台の傾斜角度を可変としたことを特徴とするレコードプレーヤ、により達成される。
【００１５】
この場合２台あるいは２台以上の支持台を共通な揺動軸回りに揺動可能に設けることができる。この場合異なる支持台の間にコントローラを設ければ操作性が良い。コントローラはその傾きを可変とすれば操作性は一層良い。
【００１６】
【実施態様】
図１は本発明の一実施態様であるトーンアームを示す側面図、図２はその要部を一部断面して示す拡大図、図３はピボット部（支持部）付近の斜視図、図４は図２におけるＩＶ−ＩＶ線断面図、図５は図４において第２のウェイトを第１の位置にした状態を示す図、図６はこのトーンアームを用いたレコードプレーヤの斜視図である。
【００１７】
図１において符号１０はレコードプレーヤＡ（図６）の支持台であり、この支持台１０にはトーンアーム１２と、図６に示すターンテーブルＢが装着される。支持台１０にはトーンアーム取付孔１４が形成され、ここにトーンアーム１２が取付けられる。
【００１８】
トーンアーム１２は、支持台１０にゴム製の防振板１６を介して取付けられた軸受台１８、この軸受台１８に固定されたアームレスト支持腕２２、軸受台１８に垂直な軸（支持台１０に対して垂直な垂直支軸）２０を中心にして回動自在に保持されたピボットリング２４、ピボットリング２４に水平な軸（支持台１０に対して水平な水平支軸）２６を中心にして揺動自在なアーム部材２８などを有する。アーム部材２８は直線状のパイプで作られている。
【００１９】
このアーム部材２８を軸受台１８に支持するピボット部（支持部）は次のように構成される（図３参照）。すなわちピボットリング２４は軸受台１８に垂直支軸２０回りに回動自在に保持される。ピボットリング２４には一対の支持腕２４ａ、２４ｂが立設される一方、アーム部材２８側にはこれら支持腕２４ａ、２４ｂの外側を囲む環状部３０（３０ａ、３０ｂ）が形成される。そしてアーム部材２８を両支持腕２４ａ、２４ｂ間に置いた状態で、環状部３０ａ、３０ｂと支持腕２４ａ、２４ｂとが共通の水平支軸２６を通る軸で連結される。
【００２０】
この結果アーム部材２８は垂直支軸２０回りに水平方向に回動し、水平支軸２６回りに上下に揺動する。ここに垂直支軸２０と水平支軸２６は互いに直交する。また水平支軸２６はアーム部材２８の中心軸２８Ａまたはその付近を通り、アーム部材２８に直交する。すなわちアーム部材２８の中心軸２８Ａと水平支軸２６と垂直支軸２０は互いに直交しほぼ一点で交わる。
【００２１】
アーム部材２８の一端にはカートリッジ取付シェル３２が固定され、ここにカートリッジ３４（図６参照）が取付けられる。アーム部材２８の他端には第１のウェイト３６が取付けられている。この第１のウェイト３６はアーム部材２８の中心軸２８Ａに沿って移動可能であり、固定位置が可変になっている。前記アームレスト支持腕２２の先端には、アームレスト３８が取付けられ、アーム部材２８のカートリッジ取付シェル３２側の途中は、このアームレスト３８に固定可能である。
【００２２】
次に針圧調整機構４０を説明する。この機構４０は、図２、４、５に示すように、アーム部材２８の前記アームレスト３８とピボット部との間に固定された固定腕４２と、この固定腕４２の下端に固定されたばね装填パイプ４４とを有する。固定腕４２は、アーム部材２８の先端側（カートリッジ取付用シェル３２側）から見て垂直面４６に対して右側、すなわちターンテーブルＢ（図６）と反対側に傾いている（図４、５）。
【００２３】
ばね装填パイプ４４はアーム部材２８と平行であり、その一端は前記ピボットリング２４の一方の支持腕２４ａを指向して開口する。このばね装填パイプ４４内には筒状の摺動子４８が摺動可能である。ばね装填パイプ４４の側面には長手方向にスリット５０が形成されている。摺動子４８にはこのスリット５０を介して外側から位置調節用のビス５２が螺入可能である。ビス５２のビス頭５２ａを指先で右に回転すれば、ビス５２の先端は摺動子４８を貫通してばね装填パイプ４４の内面に当接し、摺動子４８を任意の位置に固定することができる。
【００２４】
ばね装填パイプ４４内には弾性材としてのコイルばね５４が装填される。このコイルばね５４の一端は摺動子４８内に進入してこの摺動子４８内を横断するビス５２に係止される。コイルばね５４の他端は、ワイヤ５６によって前記ピボットリング２４の支持腕２４ａに連結される。すなわちこのワイヤ５６は、支持腕２４に形成した細孔に通されてこの細孔の他端側に係止される。
【００２５】
従ってビス５２を左に回してビス５２の先端をパイプ４４の内面から離せば、ビス５２および摺動子４８はスリット５０に沿って移動可能となる。この時コイルばね５４の引張り量が変化するから、ワイヤ５６の張力も変化する。そしてビス５２を右に回してその先端をパイプ４４の内面に押圧させれば、ビス５２および摺動子４８はパイプ４４内に固定される。このようにしてコイルばね５４の張力を調整することができる。
【００２６】
コイルばね５４は、アーム部材２８から下方に偏位してアーム部材２８と略平行に張られるから、このコイルばね５４の張力は、アーム部材２８に下方への復帰力を付与する。すなわちカートリッジ３４（図６）のレコード針に針圧を付与する。
【００２７】
このアーム部材２８には、以上のように構成された針圧調整機構４０の重量にバランスさせるための第２のウェイト５８が取付けられている。この第２のウェイト５８は、固定腕４２の一側面に隣接してアーム部材２８に適度な抵抗をもって回動可能な可動腕６０の先端（回動端）に固定されている。なおこの可動腕６０の支点側は、固定腕４２の一側面に形成した切欠き６２（図２参照）内にあり、可動腕６０の支点側の外周に設けた２つの係止面６０ａ、６０ｂを、固定腕４２の切欠き６２内に設けた係止面６２ａに当接させることにより、第１の位置Ｐ１と第２の位置Ｐ２とに位置決め可能である。
【００２８】
この第２のウェイト５８および可動腕６０は針圧調整機構４０の重量とバランスさせるものであり、その重心のアーム部材２８の長手方向における位置は針圧調整機構４０の重心の位置に一致させる。また第２のウェイト５８および可動腕６０の重心は、第１の位置Ｐ１にある時には垂直面４６を挟んで針圧調整機構４０の重心の対称位置にある。
【００２９】
さらに第２のウェイト５８および可動腕６０の重心は、第２の位置Ｐ２にある時にはアーム部材２８の中心軸２８Ａを挟んで針圧調整機構４０の重心の対称位置にある。なお前記第１のウェイト３６はこれら針圧調整機構４０や第２のウェイト５８等を取付け、かつ針圧調整機構４０のコイルばね５４の張力を零に設定した状態で、針圧が零になるようにその固定位置が設定される。
【００３０】
このトーンアーム１２は、図６に示すようにターンテーブルと共に支持台１０に取付けられ、レコードプレーヤＡとして用いられる。ここに支持台１０は水平な揺動軸６４を中心にして揺動可能であり、傾斜角度を変更して固定することができる。
【００３１】
次にこの実施態様における調整手順を説明する。支持台１０を水平に固定して使用する場合には第２のウェイト５８を図５に示す位置、すなわち第１の位置Ｐ１にする。この状態では針圧調整機構４０と第２のウェイト５８とが垂直面４６を挟んでバランスが保たれる。このためこれらの重さがトーンアーム２８よりも下方に位置することになり、トーンアーム２８の中心軸２８Ａに対する回転力が発生せず、トーンアーム２８が安定する。換言すればこれら針圧調整機構４０と第２のウェイト５８とがトーンアーム２８を中心にして天秤状（やじろべえ状）に安定する。
【００３２】
この状態で針圧調整機構４０のコイルばね５４の張力を零とし、この時の針圧が零となるように第１のウェイト３６を調整する。そして次に針圧調整機構４０のビス５２を移動してコイルばね５４の張力を増やせば、このコイルばね５４の張力だけによって針圧を設定することができる。
【００３３】
支持台１０の傾斜角度をオペレータの好みなどに応じて変え、水平でない角度に固定する時には、第２のウェイト５８を回動させて第２の位置Ｐ２に固定する。この状態ではアーム部材２８の中心軸２８Ａ回りの重量バランスが完全に保たれているから、針圧は支持台１０の傾斜角度の影響を全く受けることがなく、針圧はコイルばね５４により設定された圧力に常に保たれる。従って支持台１０の傾斜角度を演奏中に変化させることも可能になる。
【００３４】
なお実際の使用にあたっては、第２のウェイト５８は第１の位置Ｐ１と第２の位置Ｐ２の間の任意の位置に固定して使用してもよい。この場合には第１の位置Ｐ１に置いた時の効果と第２の位置Ｐ２に置いた時の効果を併せて得ることが可能である。
【００３５】
【他の実施態様】
図７は他の実施態様であるレコードプレーヤの斜視図である。この実施態様は前記図６に示したレコードプレーヤＡを２台用いる。これらのレコードプレーヤＡを共通の水平な揺動軸６４の回りに傾斜可能とし、角度を変えて固定できるようにした。また両レコードプレーヤＡ、Ａの間にコントローラＣを配設した。ここにコントローラＣも揺動軸６４回りに角度を変えて固定できるようにした。
【００３６】
コントローラＣには２つのレコードプレーヤＡ、Ａの音量等の調整つまみや両方の音の混合割合を変えるつまみなどが配置されているから、２つのレコードプレーヤＡ、ＡとこのコントローラＣの角度を好みの角度に設定することにより、オペレータは一層好きな姿勢で操作できるようになる。
【００３７】
【他の実施態様】
図８は他の実施態様であるレコードプレーヤの斜視図である。この実施態様は図６に示したレコードプレーヤＡを垂直位置を含むあるいは垂直に近い急角度に設定できるようにしたものである。なお支持台１０の傾斜角度は水平な揺動軸６４を中心にして変更可能にした点は前記図６、７のものと同じである。
【００３８】
この実施態様によれば支持台１０が垂直に近い角度に設定できるから、レコードプレーヤＡの設置床面積が小さくなり、狭い場所での使用に好適である。
【００３９】
【発明の効果】
請求項１の発明は以上のように、直線状のアーム部材に第１のウェイトを設けてターンテーブルに対して水平な水平支軸回りの重量バランスをとって針圧を零に設定可能にし、アーム部材の下方に針圧付与用の弾性材を設けたから、この弾性材により針圧を設定することができる。このためターンテーブルを傾けた状態で使用する場合、例えばＤＪでターンテーブルを傾けてスクラッチ操作する際にも針飛びが発生しにくくなる。このようにターンテーブルを傾けた場合に針飛びが発生しにくくなる。
【００４０】
この場合に、弾性材をアーム部材を含む垂直面の一側に偏位させ、他側にこの垂直面を挟んで弾性材との重量バランスをとる第２のウェイトを設ければ、アーム部材の安定性が向上する（請求項２）。この第２のウェイトをアーム部材を挟んで弾性材の対称となる位置に移動可能にすれば、アーム部材の全ての方向に対する重量バランスをとって弾性材だけにより針圧を付与することができるので、ターンテーブルの傾斜角度の影響を受けずに針圧を一定に保つことが可能になる（請求項３）。弾性材はコイルばねとして張力を調整可能にするのが望ましい（請求項４）。
【００４１】
このトーンアームを用いたレコードプレーヤは、台（支持台）を傾斜角度可変とすれば、オペレータの好きな角度に設定して演奏し易くなる（請求項５）。２台のレコードプレーヤを共通の揺動軸回りに揺動可能にすれば、２台のレコードプレーヤを用いる場合に演奏し易くなる（請求項６）。この場合、コントローラを両レコードプレーヤの間に配設し、同じ揺動軸回り、に揺動可能にすれば、オペレータはコントローラの操作もし易くなる（請求項７）。
【図面の簡単な説明】
【図１】本発明の一実施態様であるトーンアームの側面図
【図２】その要部を一部断面した拡大図
【図３】同じくピボット部付近の斜視図
【図４】図２におけるＩＶ−ＩＶ線断面図
【図５】図４において第２のウェイトの位置を変えた図
【図６】レコードプレーヤの斜視図
【図７】他の実施態様を示す斜視図
【図８】他の実施態様を示す斜視図
【符号の説明】
１０  支持台
１２  トーンアーム
２０  垂直支軸
２４  ピボットリング
２４ａ、２４ｂ  支持腕
２６  水平支軸
２８  アーム部材
２８Ａ  中心軸
３６  第１のウェイト
４０  針圧調整機構
４２  固定腕
４６  垂直面
５４  弾性材としてのコイルばね
５８  第２のウェイト
６０  可動腕
６４  揺動軸
Ａ  レコードプレーヤ
Ｂ  ターンテーブル
Ｃ  コントローラ
【図１】
0004788984.tif 000002
【図２】
0004788984.tif 000003
【図３】
0004788984.tif 000004
【図４】
0004788984.tif 000005
【図５】
0004788984.tif 000006
【図６】
0004788984.tif 000007
【図７】
0004788984.tif 000008
【図８】
0004788984.tif 000009